(57)【特許請求の範囲】
【請求項１】
レンズ装置本体を収納する撮影レンズ装置用カバーであって，
それぞれが独立している複数の基板のそれぞれに制御回路が実装されており，基板同士がネットワーク・ラインにより接続されている複数の基板が，一側面の内側に設けられており，
上記一側面に形成されている開口部，および
上記開口部を覆うように上記一側面に着脱自在であり，内側に上記複数の基板が設けられている蓋部，
を備えた撮影レンズ装置用カバー。
【請求項２】
上記複数の基板未満の数のネットワーク・ラインによって，レンズ装置本体と着脱自在に電気的に接続される，
請求項１に記載の撮影レンズ装置用カバー。
【請求項３】
上記複数の基板未満の数のネットワーク・ラインのそれぞれにはコネクタが形成されており，
レンズ装置本体を収納することにより，レンズ装置本体に形成されているコネクタとネットワーク・ラインのそれぞれに形成されているコネクタとが着脱自在に電気的に接続されるものである，
請求項２に記載の撮影レンズ装置用カバー。
【請求項５】
上記一側面が，一辺を中心に開閉自在である，
請求項１から３のうち，いずれか一項に記載の撮影レンズ装置用カバー。
【発明の詳細な説明】
【技術分野】
【０００１】
この発明は，撮影レンズ装置用カバーに関する。
【背景技術】
【０００２】
直方体の撮影レンズ装置に複数の基板を配置する場合，長手方向に直交するように基板を配置することが考えられるが，撮影レンズ装置には長手方向にレンズ鏡筒が格納されているために，複数の基板を撮影レンズ装置の長手方向に直交するように配置することはできないことが多い。このためにカメラの筺体の内壁面に平行に基板が配置されているもの（特許文献１），外装部材内部に基板が設けられているもの（特許文献２），円柱状のカメラ・システム内に内壁に沿って基板が設けられているもの（特許文献３），レンズ鏡筒内に形成されている角柱の側面に基板が設けられているもの（特許文献４）などがある。また，テレビレンズ装置の電力不足によるノイズの混入を防止するもの（特許文献５）もある。
【先行技術文献】
【特許文献】
【０００３】
【特許文献１】特開2011-124784号公報
【特許文献２】特開2010-11200号公報
【特許文献３】特開2008-111980号公報
【特許文献４】特開2007-114421号公報
【特許文献５】特開平7-99599号公報
【発明の概要】
【発明が解決しようとする課題】
【０００４】
カメラ内に基板を配置するのでは，基板の故障などにより修理が必要な場合に，その故障した基板をカメラから取り外すことが難しい。【０００５】
この発明は，複数の基板を配置しても基板の取り外しを容易とすることを目的とする。
【課題を解決するための手段】
【０００６】
この発明は，（矩形状の）レンズ装置本体を収納する（矩形状の）撮影レンズ装置用カバーであって，それぞれが独立している複数の基板のそれぞれに制御回路が実装されており，基板同士がネットワーク・ラインにより接続されている複数の基板（複数の基板のうち，少なくとも二つ以上の基板構成が共通である）が，一側面の内側に設けられていることを特徴とする。【０００７】
この発明によると，基板はレンズ装置本体に設けられているのではなく，そのレンズ装置本体を収納する撮影レンズ装置用カバーの一側面の内側に設けられている。基板は撮影レンズ装置用カバーに設けられているので，基板が故障した場合には，収納されているレンズ装置本体を撮影レンズ装置用カバーから取り外すことにより，比較的簡単に故障した基板を取り外すことができる。【０００８】
上記複数の基板未満の数のネットワーク・ラインによって，レンズ装置本体と着脱自在に電気的に接続されることが好ましい。とくに，上記複数の基板未満の数のネットワーク・ラインのそれぞれにはコネクタが形成されており，レンズ装置本体を収納することにより，レンズ装置本体に形成されているコネクタとネットワーク・ラインのそれぞれに形成されているコネクタとが着脱自在に電気的に接続されることが好ましい。【０００９】
上記一側面に形成されている開口部，および上記開口部を覆うように上記一側面に着脱自在であり，内側に上記複数の基板が設けられている蓋部をさらに備えてもよい。この二部が開口部の一辺を中心に開口部に対して開閉自在でもよい。【００１０】
上記一側面は，たとえば，一辺を中心に開閉自在である。
【図面の簡単な説明】
【００１１】
【図１】撮影レンズと撮影レンズ用カバーとの斜視図である。
【図２】図１のII−II線に沿う断面図である。
【図３】複数のＣＰＵ基板の接続状態を示すブロック図である。
【図４】ＣＡＮ通信のデータ構造を示している。
【図５】撮影レンズ用カバーの分解斜視図である。
【図６】撮影レンズ用カバーの斜視図である。
【図７】図６のVII−VII線に沿う断面図である。
【発明を実施するための形態】
【００１２】
図１は，この発明の実施例を示すもので，レンズ装置本体１と撮影レンズ装置用カバー30との斜視図である。レンズ装置本体１と撮影レンズ装置用カバー30とが組み合わせられて撮影レンズ装置となる。図１は，撮影レンズ装置を構成するレンズ装置本体１と撮影レンズ装置用カバー30とを背面側から見ており，奥側が撮影方向となる。
【００１３】
レンズ装置本体１は全体がほぼ直方体の矩形状である。レンズ装置本体１内にはズーム・レンズ，フォーカス・レンズなどが格納されている。
【００１４】
レンズ装置本体１の背面には正面から見てほぼ正方形のマウント板10が固定されている。このマウント板10の背面のほぼ中央にカメラ本体を装着するためのマウント21が形成されている。マウント21の右下にはカメラ本体とレンズ装置本体１とを電気的に接続するための雄コネクタ22が形成されている。マウント板10の一側面10Ａにはインジケータ11および12ならびにバーチャル・システム接続用コネクタ13が設けられている。
【００１５】
レンズ装置本体１の筺体２の一方の側面２Ａの右上に取り付け部材５が取り付けられている。この取り付け部材５にねじ穴（雌ねじ）６が形成されている。レンズ装置本体１の筺体２の他方の側面（図１では見えない）にも取り付け部材５に対向する位置に，ねじ穴が形成されている取り付け部材が取り付けられている。
【００１６】
撮影レンズ装置用カバー30は，中空の直方体の形状である。背面が開口されており（開口部34），上下左右のアルミニウム板（必ずしもアルミニウム板でなくともよい）31Ａ，31Ｂ，31Ｃ，31Ｄによって囲まれている。図１においては見えないが撮影方向側の前面（図１では奥側）は開放されている。
【００１７】
開口部34の左下には凸状のコネクタ37および38が設けられている。一側面のアルミニウム板31Ｂには，その一側面のアルミニウム板31Ｂに向かって右上部につまみ33が設けられている。このつまみ33には，雄ねじが形成されている。アルミニウム板31Ｂの反対側の側面31Ｄにもつまみ33に対向する位置につまみ（図示略）が形成されている。一側面のアルミニウム板31Ｂの内側にはそれぞれが独立している複数の基板41−52が配置されている。これらの基板の構成41−52はほぼ同じであり，それぞれの基板にはＣＰＵが実装されている。複数の基板41−52はネットワーク・ラインにより接続されている。
【００１８】
撮像レンズ用カバー30がレンズ装置本体１に装着される場合には，撮像レンズ用カバー30の開口部34を通ってレンズ装置本体１が撮像レンズ用カバー30に挿入されていく。レンズ装置本体１が撮像レンズ用カバー30に徐々に挿入されていくと，マウント板10と撮像レンズ用カバー30のアルミニウム板31Ａ，31Ｂ，31Ｃおよび31Ｄの正面の端面とがぶつかる。すると，撮像レンズ用カバー30に形成されているコネクタ37および38とレンズ装置本体１に形成されているコネクタ７および８とがそれぞれ噛み合い，撮像レンズ用カバー30の内壁に配置されている基板とレンズ装置本体１とが電気的に接続される。一側面31Ｂに形成されているつまみ33および反対側の側面31Ｄに形成されているつまみをそれぞれまわすことにより，つまみ32等に形成されている雄ねじが取り付け部材５等に形成されている雌ねじ６等に入り込む。レンズ装置本体１に撮影レンズ装置用カバー30が着脱自在に装着されることとなる。
【００１９】
撮影レンズ装置用カバー30が装着されているレンズ装置本体１から撮影レンズ装置用カバー30を外すときには，一側面31Ｂに形成されているつまみ32および反対側の側面31Ｄに形成されているつまみが緩められる。レンズ装置本体１が引っ張られることにより，レンズ装置本体１が撮影レンズ装置用カバー30から外れる。
【００２０】
図２は，図１のII−II線に沿う断面図である。
【００２１】
上述のように，一側面のアルミニウム板31Ｂには，それぞれが独立している（別々の基板）多数のＣＰＵ基板41−52（相互に着脱自在である）が配置（ビスなどで固定）されている。これらのＣＰＵ基板41−52のそれぞれにはＣＰＵが実装されている。一つのＣＰＵによって多数の処理が制御される場合には，多数の処理を並行して行うことができないが，この実施例では，基板のそれぞれにＣＰＵが実装されているので，それぞれの基板に実装されているＣＰＵを同時に駆動することにより多数の処理を同時に行うことができる。
【００２２】
カメラ通信ＣＰＵ基板41は，カメラ本体と通信するものである。表示ＣＰＵ基板42は，インジケータ11および12を制御するものである。スイッチＣＰＵ基板43は，外部スイッチからの信号を受信し，スイッチ操作に応じた制御を行うものである。ＰＦユニットＣＰＵ基板44は，フォーカス・レンズの合焦位置を算出するものである。防振ユニットＣＰＵ基板48は，振れ補正のために防振レンズの位置を制御するものである。バーチャル・システムＣＰＵ基板46は，コンピュータ・グラフィック処理などを行うバーチャル・システムと通信するものである。ズーム制御ＣＰＵ基板47は，ズーム・レンズを制御するものである。フォーカス制御ＣＰＵ基板48は，フォーカス・レンズを制御するものである。ズーム・デマンドＣＰＵ基板49は，外部から与えられるズーム制御信号を受信するものである。フォーカス・コマンドＣＰＵ基板50は，外部から与えられるフォーカス制御信号を受信するものである。アイリス制御ＣＰＵ基板51は，アイリスを制御するものである。エクステンダ制御ＣＰＵ基板52は，焦点距離を２倍にするレンズを制御するものである。
【００２３】
カメラ通信ＣＰＵ基板41と表示ＣＰＵ基板42，表示ＣＰＵ基板42とスイッチＣＰＵ基板43，スイッチＣＰＵ基板43とＰＦユニットＣＰＵ基板44，ＰＦユニットＣＰＵ基板44と防振ユニットＣＰＵ基板45，防振ユニットＣＰＵ基板45とバーチャル・システムＣＰＵ基板46，バーチャル・システムＣＰＵ基板46とズーム制御ＣＰＵ基板47，ズーム制御ＣＰＵ基板47とフォーカス制御ＣＰＵ基板48，フォーカス制御ＣＰＵ基板48とズーム・デマンドＣＰＵ基板49，ズーム・デマンドＣＰＵ基板49とフォーカス・デマンドＣＰＵ基板50，フォーカス・デマンドＣＰＵ基板50とアイリス制御ＣＰＵ基板51，およびアイリス制御ＣＰＵ基板51とエクステンダ制御ＣＰＵ基板52は互いにネットワーク・ラインにより接続（バス接続）されている。また，カメラ通信ＣＰＵ基板41とエクステンダ制御ＣＰＵ基板52とコネクタ37とも互いにネットワーク・ラインにより接続されている。コネクタ37を通してレンズ本体１に設けられているメイン基板（図示略）とＣＰＵ基板41−52のいずれとも通信できることとなる。ＣＰＵ基板41−52がネットワーク・ラインにより接続されているので，ＣＰＵ基板41−52と通信するためのラインを少なくできる。ネットワーク・ラインに接続されているコネクタ37は一つであるが，二つ以上設けてもよい。アルミニウム板31Ｂに配置されている12個のＣＰＵ基板41−52の数よりも少ないコネクタを設けてレンズ装置本体１等と通信することもできる。ＣＰＵ基板41−52のそれぞれと一対一にコネクタを形成してレンズ装置本体１等と通信する場合に比べてネットワーク・ラインの数（コネクタの数）を少なくできる。１本のネットワーク・ラインにすべてのＣＰＵ基板41−52が接続され，その１本のネットワーク・ラインがコネクタ37と接続されてもよい。
【００２４】
また，ＣＰＵ基板41−52が配置されている一側面31Ｂは，アルミニウム板なので高い熱伝導率を有し，高い放熱性をもつ。
【００２５】
これらのＣＰＵ基板にはネットワーク・ラインだけでなく，RS232Cケーブルなどの他のケーブルが接続されているものもあるが詳しくは後述する。ネットワーク・ライン以外のRS232Cケーブルなどはコネクタ38を介して，ＣＰＵ基板41などと通信する。
【００２６】
図３は，ＣＰＵ基板41−52等の電気的接続状態を示すブロック図である。
【００２７】
図２に示したように，ＣＰＵ基板41−52同士がネットワーク・ラインにより接続されている。
【００２８】
カメラ通信ＣＰＵ基板41は，RS232Cの通信規格カメラ本体72と通信するもので，コネクタ38，レンズ装置本体１およびコネクタ22を介してカメラ本体72と接続される。表示ＣＰＵ基板42は，コネクタ38を介してケーブルによりインジケータ（表示装置）11および12と接続される。スイッチＣＰＵ基板43はコネクタ38を介してケーブルによりスイッチと接続される。バーチャル・システムＣＰＵ基板46は，RS232Cの通信規格でバーチャル・システム71と通信するもので，コネクタ38，レンズ装置本体１およびコネクタ13を介してバーチャル・システム71と接続される。
【００２９】
ズーム制御ＣＰＵ基板47には，ズーム・レンズの位置を検出するセンサ61から出力される信号がコネクタ38を介して入力する。また，ズーム制御ＣＰＵ基板47とズーム・サーボ・モジュールＣＰＵ基板62とはRS485通信規格で通信する。ズーム・サーボ・モジュールＣＰＵ基板62は，ユニット化されており，撮影レンズ装置に取り付けられる。レンズ装置１自体にコネクタ（図示略）が形成されており，そのコネクタを介してズーム制御ＣＰＵ基板47とズーム・サーボ・モジュールＣＰＵ基板62とが通信する。ズーム・サーボ・モジュール基板62も制御回路が実装されており，ズーム・サーボ・モジュール基板62によりズーム・モータ63が制御される。
【００３０】
フォーカス制御ＣＰＵ基板48には，フォーカス・レンズの位置を検出するセンサ64から出力される信号がコネクタ38を介して入力する。また，フォーカス制御ＣＰＵ基板48とフォーカス・サーボ・モジュールＣＰＵ基板65ともRS485通信規格で通信する。フォーカス・サーボ・モジュールＣＰＵ基板65も，ユニット化されており，撮影レンズ装置に取り付けられる。レンズ装置１自体にコネクタ（図示略）が形成されており，そのコネクタを介してフォーカス制御ＣＰＵ基板48とフォーカス・サーボ・モジュールＣＰＵ基板65とが通信する。フォーカス・サーボ・モジュール基板65も制御回路が実装されており，フォーカス・サーボ・モジュール基板65によりフォーカス・モータ66が制御される。
【００３１】
ズーム・デマンドＣＰＵ基板49は，RS485通信規格で外部装置と通信する。このズーム・デマンドＣＰＵ基板49はコネクタ38と接続されている。外部装置から与えられるズーム要求信号がコネクタ38を介してズーム・デマンドＣＰＵ基板49に入力する。入力したズーム要求信号がズーム・デマンドＣＰＵ基板49からズーム制御ＣＰＵ基板47に与えられることにより，ズーム制御ＣＰＵ基板47の制御にもとづいてズーム・レンズがズーム要求信号に応じたズーム位置に制御される。
【００３２】
フォーカス・デマンドＣＰＵ基板50も，RS485通信規格で外部装置と通信する。このフォーカス・デマンドＣＰＵ基板50もコネクタ38と接続されている。外部装置から与えられるフォーカス要求信号がコネクタ38を介してフォーカス・デマンドＣＰＵ基板50に入力する。入力したフォーカス要求信号がフォーカス・デマンドＣＰＵ基板50からフォーカス制御ＣＰＵ基板48に与えられることにより，フォーカス制御ＣＰＵ基板50の制御にもとづいてフォーカス・レンズがフォーカス要求信号に応じたフォーカス位置に制御される。
【００３３】
アイリス制御ＣＰＵ基板51には，コネクタ38を介して現在の絞り値を検出するセンサ68からの信号が入力する。カメラ本体72から送信された絞り値の制御信号がカメラ通信ＣＰＵ基板41からアイリス制御ＣＰＵ基板51にネットワーク・ラインを介して送信される。アイリス制御ＣＰＵ基板51において受信した制御信号にもとづいて，アイリス制御ＣＰＵ基板51によってアイリス・モータ67が制御され，絞り値が制御される。
【００３４】
エクステンダ制御ＣＰＵ基板52には，コネクタ38を介して焦点距離を２倍にするレンズ（エクステンダ）の現在位置を検出するセンサ70からの信号が入力する。カメラ本体72などから送信されたエクステンダの制御信号がカメラ通信ＣＰＵ基板41からエクステンダ制御ＣＰＵ基板52にネットワーク・ラインを介して送信される。エクステンダ制御ＣＰＵ基板52において受信した制御信号にもとづいて，エクステンダ制御ＣＰＵ基板52によってモータ69が制御され，エクステンダが制御される。
【００３５】
上述したセンサ61および64，アイリス・モータ67，センサ68，モータ69ならびにセンサ70は，レンズ装置本体１に内蔵されている。
【００３６】
上述した基板間のネットワーク通信は，ＣＡＮ（Controller Area Network）通信を利用できる。
【００３７】
図４は，ＣＡＮ通信においてデータを送信する転送フォーマットであるデータ・フレームの構造を示している。
【００３８】
データ・フレームは，リセッシブまたはドミナントのいずれかとなる。各部の数字はビット数を示している。また，通信が行われていない場合，バスはリセッシブとなっている（バス・アイドル）。
【００３９】
データ・フレームには，スタート・オブ・フレーム，識別子フィールド，ＲＴＲ，コントロール・フィールド，データ・フィールド，ＣＲＣシーケンス，ＣＲＣデリミタ，ＡＣＫスロット，ＡＣＫデリミタ，エンド・オブ・フレームが含まれ，その順で送信される。
【００４０】
スタート・オブ・フレームは，データ・フレームの開始を表わすものであり，ドミナント状態とされる。スタート・オブ・フレームがバス・アイドルのリセッシブからドミナントへ変化することにより受信側のＣＰＵ基板（受信ノード）は同期を行うことができる。
【００４１】
識別子フィールドは，データ内容や送信側のＣＰＵ基板（送信ノード）を識別するために使用される。受信側のＣＰＵ基板は，識別子フィールドに記述されている内容を検出することにより，自分が使用するデータ・フレームかどうかを判断できる。識別子フィールドは通信調停の優先順位を決定することもある。
【００４２】
ＲＴＲ（Remote Transmission Request ）は，データを送信するデータ・フレームとデータの送信を要求するリモート・フレームとを識別するために使用される。データ・フレームの場合には，ＲＴＲはドミナントとなっている。ＲＴＲも識別子フィールドと同様に通信調停に使用される。
【００４３】
コントロール・フィールドは，次のデータ・フィールド内で何バイト送信されるかを示すものである。
【００４４】
データ・フィールドは，データ・フレームで送信されるデータの部分である。
【００４５】
ＣＲＣ（Cyclic Redundancy Check ）シーケンスは，データ送信時のデータ破壊をチェックするものである。
【００４６】
ＣＲＣデリミタは，ＣＲＣシーケンスの終了を表す区切り記号で，１ビット長のリセッシブ固定である。
【００４７】
ＡＣＫ（Acknowledgement）スロットは，正常受信確認のためのフィールドである。
【００４８】
ＡＣＫデリミタは，ＡＣＫスロットの終了を表す区切り記号で、１ビット長のリセッシブ固定である。
【００４９】
エンド・オブ・フレームは，送信または受信の終了を示すものであり，リセッシブ固定となっている。
【００５０】
複数のＣＰＵ基板から同時にデータ・フレームが送信されてしまう場合，通信調停が行われる。たとえば，二つのデータ・フレームが送信された場合，それらの二つのデータ・フレームのそれぞれの識別子フィールドに記述されているデータ１ビットずつ比較され，最初に相違したデータがドミナントとなっていた方のデータ・フレームが優先して送信される。
【００５１】
上述の実施例においては，ＣＰＵ基板41−52のそれぞれのＣＰＵ基板が独立しているので，いずれかの基板が故障した場合には，その基板を取り替えるだけで修理が終了する。比較的簡単に修理できるようになる。また，ＣＰＵ基板41−52は，撮像レンズ装置１の内部に配置されているのではなく，撮像レンズ装置用カバー30に配置されているので，取り外しも比較的容易である。さらに，ＣＰＵ基板41−52はネットワーク・ラインにより接続されているので，ネットワーク・ラインに接続するコネクタはコネクタ37の一つで済む。コネクタの数を少なくできる。
【００５２】
図５は，他の実施例を示すもので，撮影レンズ装置用カバー30Ａの分解斜視図である。この図において，図１に示すものと同一物については同一符号を付して説明を省略する。
【００５３】
撮影レンズ装置用カバー30Ａの一側面31Ｅには，一側面31Ｅのほぼ全体にわたって開口している，ほぼ長方形の開口部85が形成されている。この開口部85の周りには一側面31Ｅの表面からやや削れている段部80が形成されている。段部80の四隅には雌ねじのねじ穴81，82，83および84が形成されている。
【００５４】
撮影レンズ装置用カバー30Ａには，開口部85を閉じる蓋90が着脱自在に取り付けられる。蓋90は，ほぼ平面の長方形であり，撮影レンズ装置用カバー30Ａの一側面31Ｅに形成されている段部80の大きさとほぼ同じである。蓋90の四隅には雄ねじ101，102，103および104のねじ部を通す貫通孔91，92，93および94が開いている。
【００５５】
蓋90の裏面に上述したＣＰＵ基板41−52が配置されている。ＣＰＵ基板41−52の全体は蓋90が開口部85を閉じたときに邪魔とならないように開口部85内に収まっている。上述したように，コネクタ37にはネットワーク・ライン105が接続されており，コネクタ38にはRS232Cなどの通信規格で通信する信号線106が接続されている。
【００５６】
雄ねじ101，102，103および104が蓋90に形成されている貫通孔91，92，93および94を通って撮影レンズ装置用カバー30Ａの左側面の段部80に形成されているねじ穴81，82，83および84にねじ止めされると，開口部85が蓋90によって閉じられる。雄ねじ101，102，103および104が緩められると，撮影レンズ装置用カバー30Ａから蓋90が外れる。
【００５７】
撮影レンズ装置用カバー30Ａから外れる蓋90にＣＰＵ基板41−52が配置されているので，故障したＣＰＵ基板の取替えが容易となる。
【００５８】
図６および図７は，さらに他の実施例を示している。図６は，撮影レンズ装置用カバー30Ｂの斜視図，図７は，撮影レンズ装置用カバー30Ｂの一側面31Ｆを開いたときの図６のVII−VII線に沿う断面図である。これらの図において，図１または図５に示すものと同一物については同一符号を付して説明を省略する。
【００５９】
図６に示すように，撮影レンズ装置用カバー30Ｂの一側面31Ｆは下辺を中心に開閉自在である。図６においてはＣＰＵ基板41−52を接続するバス・ライン，ケーブルなどは図示が省略されている。
【００６０】
図７を参照して，一側面31Ｆの内側には上述したようにＣＰＵ基板41−52が配置されている。撮影レンズ装置用カバー30Ｂの一側面31Ｆと撮影レンズ装置用カバー30Ｂの下面31Ｃとは蝶番111および112によって開閉自在に取り付けられている。
【００６１】
レンズ装置本体１に撮影レンズ装置用カバー30Ｂが装着されるときには，一側面31Ｆが閉じられ，つまみ32および33によって撮影レンズ装置用カバー30Ｂがレンズ装置本体１に固定される。つまみ32および33が緩められると，一側面31Ｆが開く。すると，一側面31Ｆの内側に配置されているＣＰＵ基板41−52が露出する。故障したＣＰＵ基板を取り替えることができる。図６および図７に示す実施例では，一側面31Ｆ自体が開くものであったが，図５に示すように，蓋90が開口85の一辺に固定されて，蓋90が開くようにしてもよい。
【００６２】
図５に示す撮影レンズ装置用カバー30Ａまたは図６および図７に示す撮影レンズ装置用カバー30Ｂにおいてはレンズ装置本体１を撮影レンズ装置用カバー30Ａまたは30Ｂから外すことなく，ＣＰＵ基板を取り替えることができるようになる。
【００６３】
上述の実施例では，ＣＰＵ基板41−52は，撮影レンズ装置用カバー30の一側面の内側に配置されているが，一側面以外の上面，反対側の側面，下面などに配置されてもよい。ＣＰＵ基板41−52が配置される場所に応じて上述した開口部85が開口される場所，開閉自在な面も変わることとなる。
【００６４】
上述した実施例では，CAN通信が利用されているがCAN通信以外のネットワーク技術を利用してもよい。たとえば，PROFIBUS，CC-Link，Interbus，EC-NETなどを利用することもできる。
【００６５】
上述した実施例では，ＣＰＵ基板41−52がネットワーク・ラインにより接続されている（必要に応じてネットワーク・ラインを介して通信するためのトランシーバが，これらの基板41−52に実装されているトランシーバが設けられているのはいうまでもない。）が，これらのＣＰＵ基板41−52とネットワーク・ラインとはコネクタ等により着脱自在に接続される。
【００６６】
また，カメラ通信ＣＰＵ基板41，スイッチＣＰＵ基板43，バーチャル・システムＣＰＵ基板46，ズーム・デマンドＣＰＵ基板49およびフォーカス・デマンドＣＰＵ基板50は同じ構成であり，表示ＣＰＵ基板42ズーム制御ＣＰＵ基板47，フォーカス制御ＣＰＵ基板48，アイリス制御ＣＰＵ基板51およびエクステンダ制御ＣＰＵ基板52も同じ構成である。さらに，ＰＦユニットＣＰＵ基板44および防振ユニットＣＰＵ基板45も同じ構成である。
【００６７】
ＣＰＵ制御基板41−52にはＣＰＵおよびネットワーク・ラインを介して通信するための通信回路（トランシーバ）が共通に実装されているので，それらの回路についての共通化を図ることもできる。
【符号の説明】
【００６８】
１  レンズ装置本体
30，30Ａ，30Ｂ  撮影レンズ装置用カバー
41−52  ＣＰＵ基板
【図１】
0005607830.tif 000002
【図２】
0005607830.tif 000003
【図３】
0005607830.tif 000004
【図４】
0005607830.tif 000005
【図５】
0005607830.tif 000006
【図６】
0005607830.tif 000007
【図７】
0005607830.tif 000008